(57)【要約】【課題】支柱が左右の分割支柱材を組み合わせることによって構成されたフェンス又は手摺り構造において、前記分割支柱の曲げ捻れ変形を防止する。【解決手段】前記支柱９を構成するそれぞれの分割支柱材４，５は溝型断面の半枠部４Ａ、５Ａを有するとともに、半枠部４Ａ、５Ａの両端部にそれぞれ内部側に突出する突片部分４ａ、５ａ（４ｂ、５ｂ）を有し、前記分割支柱材４，５を組み合わせることによって前記半枠部同士によって矩形状の中空部Ｍが形成されており、前記支柱９高さ方向中間であって前記矩形状の中空部Ｍの内部に、断面Ｌ字状とされ、両端部に夫々継手係合部を備えた部材１０Ａ、１０Ｂを一対で組み合わせることによって断面矩形状を成すとともに、前記半枠部４Ａ、５Ａの継ぎ目位置に存在している一対の突片部分４ａ、５ａ（４ｂ、５ｂ）を両側から押さえる係止部１０ａ、１０ｇを有する曲げ捻れ防止部材１０を配設する。【選択図】図１３
2015212497.tif 000002
【特許請求の範囲】
【請求項１】
横方向に所定間隔で立設された支柱と、この支柱の上下部に配置された横材によって四周が枠組みされ、枠組み内部にパネル又は複数の桟材が配置されたフェンス又は手摺り構造において、
前記支柱は、左右一対の分割支柱材を組合せることによって構成された分割支柱とされ、前記分割支柱を構成するそれぞれの分割支柱材は溝型断面の半枠部を有するとともに、半枠部の両端部にそれぞれ内部側に突出する突片部分を有し、前記分割支柱材を組み合わせることによって前記半枠部同士によって矩形状の中空部が形成されており、
前記支柱の高さ方向中間であって前記矩形状の中空部の内部に、断面Ｌ字状とされ、両端部に夫々継手係合部を備えた部材を一対で組み合わせることによって断面矩形状を成すとともに、前記半枠部の継ぎ目位置に存在している一対の突片部分を両側から押さえる係止部を有する曲げ捻れ防止部材を配設したことを特徴とするフェンス又は手摺り構造。
【請求項２】
前記曲げ捻れ防止部材を構成する一対の断面Ｌ字状部材は夫々、断面視で一方側端部に上下方向に貫通する溝型形状の溝型継手係合部を備え、他方側端部に直角に屈曲する屈曲継手係合部を備え、前記断面Ｌ字状部材の一方側を天地反対として前記溝型継手係合部と屈曲継手係合部とを夫々係合させることにより断面矩形状を成している請求項１記載のフェンス又は手摺り構造。
【請求項３】
前記分割支柱材の半枠部の内面に、内部側に突出して形成された座面用Ｌ字突出片を有し、前記曲げ捻れ防止部材を構成する各断面Ｌ字状部材は前記座面用Ｌ字突出片に対してビス止めされている請求項１、２いずれかに記載のフェンス又は手摺り構造。
【請求項４】
前記曲げ捻れ防止部材は、支柱の中間位置に１又は２ヶ所設けられている請求項１〜３いずれかに記載のフェンス又は手摺り構造。
【発明の詳細な説明】
【技術分野】
【０００１】
本発明は、支柱が左右一対の分割支柱材を組み合わせることによって構成された分割支柱とされるフェンス又は手摺り構造において、前記分割支柱の曲げ捻れ変形を防止したフェンス又は手摺り構造に関する。
【背景技術】
【０００２】
従来より、区画境界や敷地境界を仕切ったり、マンション、ビルなどの構造物における落下防止設備として設置されるフェンス構造又は通路、屋上、階段、バルコニーなどに設置される手摺り構造として種々の構造のものが提案されている。これらの中で、分割支柱材を互いに組み合わせることによって支柱を構成するようにした構造が存在する。
【０００３】
例えば、下記特許文献１では、互いに係合部で係合させられることにより一つの支柱となる分割支柱材を、係合部を互いに相手の係合部と係合する方向に向けて所定の間隔に保ち、両分割支柱材の上下間に夫々横材を渡設するとともに、これによって囲われた空間内に立子或いはパネルを取り付けて一ユニットを構成し、かくして構成したユニットの複数を、相係合する分割支柱材で一つの支柱が形成されるように組み立てて連結し、組立てられた支柱にはキャップを被せ、或いはバンドで回りから締めるとともにその支柱を施工面に建ててなるフェンス構造が提案されている。
【０００４】
また、下記特許文献２では、施工面上に予め所定間隔で立設される柱用芯材と、両側部に配置された分割支柱材および上下部に配置された横材によって四周が枠組みされ、枠組内部にパネル又は複数の桟材が配置されたユニット材とから成るフェンス又は手摺り構造であって、
【０００５】
前記ユニット材の分割支柱材は、断面視で前記柱用芯材の略片側半分を囲む半枠部を有するとともに、該半枠部の両端部に夫々、前記柱用芯材に対する係合部を有し、前記柱用芯材は前記係合部に対応する部位に被係合部を有し、上方側から前記ユニット材の半枠部を柱用芯材に落とし込むことにより、前記分割支柱材を柱用芯材に係合させて前記ユニット材の取付けが行われ、前記柱用芯材を囲む一対の分割支柱材の組合せによって支柱が構成されているとともに、前記分割支柱材同士は直接的に係合していないフェンス又は手摺り構造が提案されている。
【先行技術文献】
【特許文献】
【０００６】
【特許文献１】特開昭４９−１９６４３号公報
【特許文献２】特開２００９−２８７１７４号公報
【発明の概要】
【発明が解決しようとする課題】
【０００７】
しかしながら、前記特許文献１及び特許文献２記載のフェンス又は手摺り構造のように、支柱を左右の分割支柱材を組み合わせることによって構成した場合、断面視でＸ方向とこれに直行するＹ軸方向とで強度が異なるため、断面に強軸と弱軸とを有することになる。この結果、例えば高層ビルなどの手摺りとして用いた場合に過大な風荷重が加わったり、人為的に過渡の力が加えられ支柱に大きな曲げモーメントが作用すると、弱軸に向かって捻れながら変形する現象（曲げ捻れ変形）が生じることがあった。
【０００８】
この曲げ捻れ変形が生じると、分割支柱材の目地部分に隙間（口開き）が生じたり、特に変形が大きい場合は横座屈を起こしたりすることがあった。特に、前記特許文献２記載の発明のように、ユニット単位の交換が簡易に行えるように前記分割支柱材同士が直接的に係合していない構造とした場合にはその傾向が顕著となる。
【０００９】
そこで本発明の主たる課題は、支柱が左右の分割支柱材を組み合わせることによって構成されたフェンス又は手摺り構造において、前記支柱の曲げ捻れ変形を防止したフェンス又は手摺り構造を提供することにある。
【課題を解決するための手段】
【００１０】
上記課題を解決するために請求項１に係る本発明として、横方向に所定間隔で立設された支柱と、この支柱の上下部に配置された横材によって四周が枠組みされ、枠組み内部にパネル又は複数の桟材が配置されたフェンス又は手摺り構造において、
【００１１】
前記支柱は、左右一対の分割支柱材を組合せることによって構成された分割支柱とされ、前記分割支柱を構成するそれぞれの分割支柱材は溝型断面の半枠部を有するとともに、半枠部の両端部にそれぞれ内部側に突出する突片部分を有し、前記分割支柱材を組み合わせることによって前記半枠部同士によって矩形状の中空部が形成されており、
【００１２】
前記支柱の高さ方向中間であって前記矩形状の中空部の内部に、断面Ｌ字状とされ、両端部に夫々継手係合部を備えた部材を一対で組み合わせることによって断面矩形状を成すとともに、前記半枠部の継ぎ目位置に存在している一対の突片部分を両側から押さえる係止部を有する曲げ捻れ防止部材を配設したことを特徴とするフェンス又は手摺り構造が提供される。
【００１３】
上記請求項１記載の発明では、支柱は、左右一対の分割支柱材を組合せることによって構成された分割支柱とされるフェンス又は手摺り構造において、分割支柱を構成するそれぞれの分割支柱材は溝型断面の半枠部を有するとともに、半枠部の両端部にそれぞれ内部側に突出する突片部分を有し、前記分割支柱材を組み合わせることによって前記半枠部同士によって矩形状の中空部が形成された構造とした上で、前記支柱の高さ方向中間であって前記矩形状の中空部の内部に、断面Ｌ字状とされ、両端部に夫々継手係合部を備えた部材を一対で組み合わせることによって断面矩形状を成すとともに、前記半枠部の継ぎ目位置に存在している一対の突片部分を両側から押さえる係止部を有する曲げ捻れ防止部材を配設するようにした。
【００１４】
従って、前記支柱の高さ方向中間であって前記矩形状の中空部の内部に設けられた前記曲げ捻れ防止部材は、一対の断面Ｌ字状部材同士を組み合わせることにより断面矩形状を成し、周方向に閉合しているとともに、前記半枠部の継ぎ目位置に存在している一対の突片部分を両側から押さえる係止部を有するため、Ｘ方向及びＹ方向に対する断面剛性を補強するとともに、捻れ剛性を補強するため、支柱に過大な風荷重が加わったり、人為的に過渡の力が加えられたとしても、支柱が弱軸に向かって捻れながら変形する現象（曲げ捻れ変形）が生じるのを防止することができる。
【００１５】
請求項２に係る本発明として、前記曲げ捻れ防止部材を構成する一対の断面Ｌ字状部材は夫々、断面視で一方側端部に上下方向に貫通する溝型形状の溝型継手係合部を備え、他方側端部に直角に屈曲する屈曲継手係合部を備え、前記断面Ｌ字状部材の一方側を天地反対として前記溝型継手係合部と屈曲継手係合部とを夫々係合させることにより断面矩形状を成している請求項１記載のフェンス又は手摺り構造が提供される。
【００１６】
上記請求項２記載の発明では、断面Ｌ字状を成す一対の曲げ捻れ防止部材の継手係合部の構造例を示したものである。具体的には、断面Ｌ字状部材の一方側端部に上下方向に貫通する溝型形状の溝型継手係合部を備え、他方側端部に直角に屈曲する屈曲継手係合部を備えるようにし、前記断面Ｌ字状部材の一方側を天地反対として使用し、前記溝型継手係合部と屈曲継手係合部とを夫々係合させるようにしたものである。この場合は、１種類の断面Ｌ字状部材を作製することにより、左右一対の断面Ｌ字状部材を兼用することができ、製作効率の向上とコスト低減が図れるようになる。
【００１７】
請求項３に係る本発明として、前記分割支柱材の半枠部の内面に、内部側に突出して形成された座面用Ｌ字突出片を有し、前記曲げ捻れ防止部材を構成する各断面Ｌ字状部材は前記座面用Ｌ字突出片に対してビス止めされている請求項１、２いずれかに記載のフェンス又は手摺り構造が提供される。
【００１８】
上記請求項３記載の発明では、前記分割支柱材の半枠部の内面に、内部側に突出して形成された座面用Ｌ字突出片を有するようにし、前記曲げ捻れ防止部材を構成する各断面Ｌ字状部材を前記座面用Ｌ字突出片に対してビス止めしておくようにすると、後述するように、ユニット毎に順次落とし込みによって施工する場合、設置済みの分割支柱材に対して、隣接する分割支柱材を落し込みによって係合させる際、設置済みの分割支柱材に設けてある断面Ｌ字状部材に対して、隣接する分割支柱材に設けてある他方の断面Ｌ字状部材を嵌合させる手順によって曲げ捻れ防止部材を設置することが可能となる。また、曲げ捻れ部材をビス止めしているビスは外側から見えないため、意匠的にも優れるようになる。
【００１９】
請求項４に係る本発明として、前記曲げ捻れ防止部材は、支柱の中間位置に１又は２ヶ所設けられている請求項１〜３いずれかに記載のフェンス又は手摺り構造が提供される。
【００２０】
上記請求項４記載の発明では、前記曲げ捻れ防止部材の設置数について規定したものである。前記曲げ捻れ部材を支柱に多数（３以上）設置することも可能であるが、通常は、支柱の高さ方向中間位置に１又は２ヶ所設けるようにすれば十分に曲げ捻れに対して抵抗することが可能である。
【発明の効果】
【００２１】
以上詳説のとおり本発明によれば、支柱が左右の分割支柱材を組み合わせることによって構成されたフェンス又は手摺り構造において、前記支柱の曲げ捻れ変形を防止することが可能となる。
【図面の簡単な説明】
【００２２】
【図１】本発明に係るフェンス構造１の正面図である。
【図２】その斜視図である。
【図３】図１のIII−III線矢視図（縦断面図）である。
【図４】図１のIV−IV線矢視図（横断面図）である。
【図５】図１のV−V線矢視図（横断面図）である。
【図６】支柱９の背面側の要部斜視図である。
【図７】柱用芯材２を示す平面図である。
【図８】柱用芯材２の建込み状態を示す側面図である。
【図９】ユニット材３の正面図である。
【図１０】図９のＸ−Ｘ線矢視図（縦断面図）である。
【図１１】図９のＸＩ−ＸＩ線矢視図（横断面図）である。
【図１２】曲げ捻れ防止部材１０を構成する一方側の断面Ｌ字状部材１０Ｂを示す、(A)は平面図、(B)は右側面図である。
【図１３】断面Ｌ字状部材１０Ａ、１０Ｂを組み合わせて曲げ捻れ防止部材１０とし支柱９への組込み状態を示す平面図である。
【図１４】曲げ捻れ防止部材１０の配設位置を示す支柱側面図である。
【図１５】施工要領図（その１）である。
【図１６】施工要領図（その２）である。
【図１７】曲げ捻れ防止部材１０を構成する断面Ｌ字状部材１０Ａ、１０Ｂの嵌合要領を示す斜視図である。
【図１８】施工要領図（その３）である。
【図１９】フェンス形式を示す、(A)は縦桟方式、(B)は横桟方式、(C)は組合せ方式を示す正面図である。
【発明を実施するための形態】
【００２３】
以下、本発明の実施の形態について図面を参照しながら詳述する。
【００２４】
フェンス構造１は、図１〜図６に示されるように、施工面上に予め所定間隔で立設される柱用芯材２，２…と、これら柱用芯材２，２…によって支持され、横方向に所定間隔で立設された支柱９と、この支柱９の上下部に配置された横材６，７とを備え、前記支柱９、９と横材６，７とによって四周が枠組みされるとともに、この枠組み内部にパネルＰ（又は複数の桟材）が配置され、更に上部側横材６の上面に長手通しの笠木部材８が配設された構造である。本例では特に、前記支柱９が左右一対の分割支柱材４，５を組み合わせることによって構成された分割支柱とされ、前記分割支柱材４，５と前記横材６，７とによって予め四周が枠組みされたユニット材３が構成され、後述するように、各ユニット３，３…毎に施工される。本フェンス構造１では、特に前記支柱９の高さ方向中間であって、支柱９の内部に曲げ捻れ防止部材１０が配設されている。
【００２５】
以下、更に具体的に詳述する。
【００２６】
前記柱用芯材２は、詳細には図７に示されるように、断面略横Ｈ形状を成すアルミ形材であり、ウエブ２Ａの前後２箇所にアンカーボルト通孔２ａ、２ａを有し、一方側フランジ２Ｂの外面中央に凹状の切欠き２Ｄを有するとともに、他方側フランジ２Ｃの外面中央に凹状の切欠き２Ｅを有する。これら切欠き２Ｄ、２Ｅによって形成された右側のウエブ２Ａを跨いだ前後対の段部が前記分割支柱材４のための被係合部２ｂ、２ｃを構成し、左側のウエブ２Ａを跨いだ前後対の段部が前記分割支柱材５のための被係合部２ｄ、２ｅを構成する。
【００２７】
前記柱用芯材２は、図８に示されるように、アンカーボルト通孔２ａ、２ａの下端側にタップ加工を施すとともに、アンカーボルト１２，１２の上端側（ネジ部）を螺合接続しておき、アンカーボルト１２の下端側を施工面を構成しているコンクリート基礎Ｈに対して横方向に所定間隔Ｌで埋設固定することにより立設されている。
【００２８】
前記ユニット材３は、詳細には図９〜図１１に示されるように、両側部に配置された分割支柱材４、５と、上下部に配置された横材６，７とによって四周が枠組みされ、枠組内部にパネルＰ（又は後述する複数の桟材）が配置されたもので、基本的には工場製作され現場に搬入される。
【００２９】
前記分割支柱材４は、押出し成型されたアルミ形材とされ、図１１に示されるように、断面視で前記柱用芯材２の略片側半分を囲む溝型断面の半枠部４Ａを有するとともに、該半枠部４Ａの両端部に夫々、前記柱用芯材２に対する係合部４ａ、４ｂを有する。これら係合部４ａ、４ｂは内部側に突出する突片部分を有し、同時に前記曲げ捻れ防止部材１０の被係止部を構成している。前記半枠部４Ａには、高さ方向中間であって、前記支柱９の内部に、前記曲げ捻れ部材１０を構成する一方の断面Ｌ字状部材１０Ｂが半枠部４Ａに設けられた座面用Ｌ字突出片４ｃに対してビス１３によって固定されている。また、前記半枠部４Ａに隣接する前側位置に、内方側に開口溝を向けた断面略コ字状のパネル嵌合溝部４Ｂを備えている。さらに、前記半枠部４Ａの内部には組立て用ビスポケット１２、１２が２箇所設けられている。
【００３０】
一方の分割支柱材５も同様に、押出し成型されたアルミ形材とされ、図１１に示されるように、断面視で前記柱用芯材２の略片側半分を囲む溝型断面の半枠部５Ａを有するとともに、該半枠部５Ａの両端部に夫々、前記柱用芯材２に対する係合部５ａ、５ｂを有する。これら係合部４ａ、４ｂは内部側に突出する突片部分を有し、同時に前記曲げ捻れ防止部材１０の被係止部を構成している。前記半枠部５Ａには、高さ方向中間であって、前記支柱９の内部に、前記曲げ捻れ部材１０を構成する他方の断面Ｌ字状部材１０Ａが半枠部５Ａに設けられた座面用Ｌ字突出片５ｃに対してビス１３によって固定されている。また、前記半枠部５Ａに隣接する前側位置に、内方側に開口溝を向けた断面略コ字状のパネル嵌合溝部５Ｂを備えている。さらに、前記半枠部５Ａの内部には組立て用ビスポケット１１２が２箇所設けられている。前記分割支柱４と分割支柱５とを組み合わせることにより、前記半枠部同士４Ａ、５Ａによって矩形状中空部Ｍが形成されるようになっている。
【００３１】
前記捻れ防止部材１０を構成する前記断面Ｌ字状部材１０Ａ、１０Ｂとしては、同じ部材が使用されており、片方を天地反対として使用し、組み合わせることにより断面矩形状となる。代表的に断面Ｌ字状部材１０Ｂについて、図１２に基づいて詳述する。
【００３２】
前記断面Ｌ字状部材１０Ｂは、断面視で一方側端部に上下方向に貫通する溝型形状の溝型継手係合部１０ａを備え、他方側端部に直角に屈曲する屈曲継手係合部１０ｂを備えている。長辺側において前記溝型継手係合部１０ａの隣接位置にビス孔１０ｃを備えるとともに、このビス孔１０ｃに近接する位置に位置決め用係止部１０ｄを備える。また、天地反対使用を可能とするために、長辺の対象位置にビス孔１０ｅと位置決め用係止部１０ｆを備える。また、短辺側において、前記半枠部４Ａに形成した係合部４ｂを押さえる係止部１０ｇを備えている。部材の長さ寸法Ｓは、５０〜１００mm程度とされる。
【００３３】
前記断面Ｌ字状部材１０Ａ、１０Ｂを組み合わせるには、図１３に示されるように、一方の断面Ｌ字状部材１０Ｂの溝型継手係合部１０ａに対して、他方の断面Ｌ字状部材１０Ａの屈曲継手係合部１０ｂを嵌合させ、他方の断面Ｌ字状部材１０Ａの溝型継手係合部１０ａに対して、一方の断面Ｌ字状部材１０Ｂの屈曲継手係合部１０ｂを嵌合させるようにする。断面Ｌ字状部材１０Ａ、１０Ｂを組み合わせ支柱９の取付け状態では、支柱９の一方側の継ぎ目位置で、半枠部４Ａの係合部４ａと半枠部５Ａの係合部５ａとの一対の突片部材を、前記溝型継手係合部１０ａを構成する一方側部材（係止部を構成）と前記係止部１０ｇとにより両側から押さえるようになっている。また、支柱９の他方側の継ぎ目位置でも同様に、半枠部４Ａの係合部４ｂと半枠部５Ａの係合部５ｂとの一対の突片部材を、前記溝型継手係合部１０ａを構成する一方側部材（係止部を構成）と前記係止部１０ｇとにより両側から押さえるようになっている。
【００３４】
前記曲げ捻れ防止部材１０の取付け位置は、図１４に示されるように、柱用芯材２の配設位置は堅固に固定されているため曲げ捻れ変形は生じないとして、支柱９の支柱高さＨに対して、柱用芯材２の寸法Ｃを減算し、図示のように、高さ方向に１ヶ所設ける場合は、１／２（Ｈ−Ｃ）の高さ位置若しくはこの高さ位置の±２００mmの範囲に設けるようにし、仮に２ヶ所設ける場合は、１／３（Ｈ−Ｃ）及び２／３（Ｈ−Ｃ）の高さ位置若しくはこの高さ位置の±２００mmの範囲に設けるようにするのが望ましい。設置数については、支柱９の中間位置に１又は２ヶ所設けるようにすれば、十分に曲げ捻れに対して抵抗できることが試験により確認されている。
【００３５】
前記曲げ捻れ防止部材１０は、一対の断面Ｌ字状部材１０Ａ、１０Ｂ同士を組み合わせることにより断面矩形状を成し、周方向に閉合しているとともに、前記半枠部４Ａ、５Ａの継ぎ目位置に存在している一対の突片部分４ａ、５ａ（４ｂ、５ｂ）を両側から押さえる係止部１０ａ、１０ｇを有するため、Ｘ方向及びＹ方向に対する断面剛性を補強するとともに、捻れ剛性Ｔを補強するため、支柱９に過大な風荷重が加わったり、人為的に過渡の力が加えられたとしても、支柱９が弱軸に向かって捻れながら変形する現象（曲げ捻れ変形）が生じるのを防止することができる。
【００３６】
前記上部側横材６は、同じく押出し成型されたアルミ形材とされ、図１０に示されるように、前記分割支柱材４、５の半枠部４Ａ、５Ａに対応する部分に平板状の天板部６Ａを有し、この天板部６Ａに隣接する前側位置に、内方側に開口溝を向けた断面略コ字状のパネル嵌合溝部６Ｂを備えている。
【００３７】
前記下部側横材７も同じく押出し成型されたアルミ形材とされ、台形状の中空部７Ａに隣接する前側位置に、内方側に開口溝を向けた断面略コ字状のパネル嵌合溝部７Ｂを備えている。また、前記中空部７Ａの内部には組立て用ビスポケット１２が２箇所設けられている。
【００３８】
前記分割支柱材４，５及び横材６，７によって四周が枠組みされ、前記パネル嵌合溝４Ａ、５Ｂ、６Ｂ、７Ｂが周方向に沿って連続形成され、このパネル嵌合溝４Ａ、５Ｂ、６Ｂ、７Ｂにグレチャン１１が嵌合されるとともに、このグレチャン１１によってパネルＰが嵌合支持され、ユニット材３が構成されている。なお、図示例では、図９に示されるように、分割支柱材４，５の下端部が下部側横材７よりも若干突出し、脚部１７を有するように組立てられている。
【００３９】
次に、前記フェンス構造１の施工手順について図１５〜図１８に基づいて詳述する。
【００４０】
先ず、図１５に示されるように、コンクリート基礎Ｈ面上に、所定の柱間隔Ｌの間隔で前記柱用芯材２，２…を立設する。アンカーボルト１２の固定は、公知の種々の方法を採用することができるが、例えば樹脂注入アンカー方式を好適に採用することができる。樹脂注入アンカー方式は、二液樹脂接着剤を穿孔内に充填し、アンカーボルト１２を挿入し樹脂による固着によってアンカーボルト１２の固定を図るものである。
【００４１】
次いで、図１６に示されるように、ユニット材３を順次持ち込み、両側部の分割支柱材４，５の半枠部４Ａ、５Ａを柱用芯材２，２に落とし込むことにより、前記分割支柱材４，５を柱用芯材２，２に係合させて前記ユニット材３の取付けが順次行われる。ユニット材３の設置状態では、図４に示されるように、前記分割支柱材４の半枠部４Ａの係合部４ａ、４ｂが柱用芯材２の被係合部２ｂ、２ｃに係合し、前記分割支柱材５の半枠部５Ａの係合部５ａ、５ｂが柱用芯材の被係合部２ｄ、２ｅに係合するように取付けられ、前記柱用芯材２を囲む一対の分割支柱材４，５の組合せによって支柱９、９…が構成されている。
【００４２】
また、図１７に示されるように、設置済みの分割支柱材４に対して、隣接する分割支柱材５を落し込みによって係合させる際、設置済みの分割支柱材５に設けられた断面Ｌ字状部材１０Ｂに対して、隣接する分割支柱材５に設けられた他方の断面Ｌ字状部材１０Ａを嵌合させる手順によって曲げ捻れ防止部材１０を設置することが可能となる。設置状態では、一方側の断面Ｌ字状部材１０Ｂの溝型継手係合部１０ａと他方側の断面Ｌ字状部材１０Ａの屈曲継手係合部１０ｂとが係合するとともに、一方側の断面Ｌ字状部材１０Ｂの屈曲継手係合部１０ｂと他方側の断面Ｌ字状部材１０Ａの溝型継手係合部１０ａとが係合することにより、断面矩形状を成しており、かつ前記半枠部４Ａ、５Ａの継ぎ目位置に存在している一対の突片部分４ａ、５ａ（４ｂ、５ｂ）を曲げ捻れ防止部材１０の係止部１０ａ、１０ｇが両側から押さえるようになっている。
【００４３】
各ユニット材３，３…の取付けが完了したならば、図１８に示されるように、前記上部側横材６の上面に長手通しの笠木部材８を配設し、図３に示されるように笠木部材８をビス２２、２２…によって固定する。最後に、各支柱材９の基端部を囲むように付け根カバー２４を設置して施工を完了する。なお、前記付け根カバー２４は半割構造とされ、支柱材９の外側から設置可能となっている。
【００４４】
〔他の形態例〕
(1)上記形態例では、ユニット材３の枠組み内部にパネルＰを嵌合支持させるようにしたが、図１９に示されるように、枠組み内部に複数の桟材５０…、５１…を配設したユニット材３とすることも可能である。図１９(A)は、縦桟５０、５０…を配置した例であり、図１９(B)は、横桟５１，５１…を配置した例である。これ以外に、横／縦ルーバー等を配置した形式とすることもできる。更には、図１９(C)に示されるように、これらの組合せとすることも可能である。
(2)上記形態例では、フェンス構造１として説明したが、手摺りとしても全く同様の構造を採用することが可能である。
【符号の説明】
【００４５】
１…フェンス構造、２…柱用芯材、３…ユニット材、４・５…分割支柱材、４Ａ・５Ａ…半枠部、６…上部側横材、７…下部側横材、８…笠木部材、９…支柱、１０…曲げ捻れ防止部材、１０Ａ・１０Ｂ…断面Ｌ字状部材、１２…アンカーボルト、Ｐ…パネル、Ｍ…矩形状中空部
【図１】
2015212497.tif 000003
【図２】
2015212497.tif 000004
【図３】
2015212497.tif 000005
【図４】
2015212497.tif 000006
【図５】
2015212497.tif 000007
【図６】
2015212497.tif 000008
【図７】
2015212497.tif 000009
【図８】
2015212497.tif 000010
【図９】
2015212497.tif 000011
【図１０】
2015212497.tif 000012
【図１１】
2015212497.tif 000013
【図１２】
2015212497.tif 000014
【図１３】
2015212497.tif 000015
【図１４】
2015212497.tif 000016
【図１５】
2015212497.tif 000017
【図１６】
2015212497.tif 000018
【図１７】
2015212497.tif 000019
【図１８】
2015212497.tif 000020
【図１９】
2015212497.tif 000021